(57)【要約】【課題】ファクシミリ装置とパーソナルコンピュター、及びその周辺機器が同一近辺に存在し、プリンタ、スキャナーという重複する機能を互いに持ち合わせて、場所を占め無駄が存在している。ファクシミリ文書はデジタル化が困難で、文書管理が煩雑である。【解決手段】本発明はパーソナルコンピュタ‐とその周辺機器を使用し、効率的なファクシミリ通信を行ない、広範囲で使用可能とすることを目的としている。本発明は回線制御部、メモリ制御が行なわれるデータ処理部、接続制御部で構成されるファクシミリ送受信処理装置である。【選択図】          図１
2004179712.tif 000002
【特許請求の範囲】
【請求項１】
電話線を介し、留守番電話、ファクシミリデータを受信し、接続線を介してパーソナルコンピュターからのファクシミリデータを受信し、そのデータを記憶する内部メモリと、外部記憶するメモリカードを有するファクシミリデータ送受信処理装置。
【請求項２】
電話機接続用端子、外部記憶接続用端子を備えたファクシミリデータ送受信処理装置。
【請求項３】
インターネット接続用端子を備えたファクシミリデータ送受信処理装置。
【請求項４】
ファクシミリデータ受信の有無を機器の一部、又は、単独の表示器を使って点滅、点燈表示するファクシミリデータ送受信処理装置。
【請求項５】
内部メモリがオバーフローした時、点滅、点燈表示するファクシミリデータ送受信処理装置。
【請求項６】
メモリカードがオバーフローした時、点滅、点燈表示するファクシミリデータ送受信処理装置。
【請求項７】
内部メモリの記憶したデータは接続線を介してＰＣに送出後消えるが、メモリカードは記憶容量限界まで記憶し続けるファクシミリデータ送受信処理装置。
【請求項８】
本装置を電話機に組み込み、電話の機能に加え、請求項１、請求項２、請求項３、請求項４、請求項５、請求項６、請求項７を備えたファクシミリデータ送受信処理装置付き電話機。
【請求項９】
本装置をパーソナルコンピュターに組み、請求項１、請求項２、請求項４、請求項５、請求項６、請求項７を備えたファクシミリデータ送受信処理装置付パーソナルコンピュター。
【発明の詳細な説明】
【０００１】
【発明の属する技術分野】
本発明は、パーソナルコンピュターを用いたファクシミリの送受信に適し、小スペースで広範囲な場所で汎用的に使用できる装置に関する。
【０００２】
【従来の技術】
近年、通信手段として、電話機、ファクシミリ装置から携帯電話、Ｅ−メールなどに急速に変化しております。ファクシミリ装置は普及も進み、現在も出荷され続けておりますが、ファクシミリ文書のデジタル化が遅れているシステムの一つである。一方、パーソナルコンピュターの普及率が進み、多くの家庭、事務所でプリンタ、スキャナーを持つに至っている。即ち、各家庭、各事務所でファクシミリ装置と同じ機能商品を重複して持っている（例えば、特開平６−３７９１８号公報参照）。
【０００３】
【発明が解決しようとする課題】
本発明は、ファクシミリ装置を利用せず、ファクシミリ情報を如何に容易にパーソナルコンピュターに取り込み、パーソナルコンピュター側でファクシミリ情報の分類管理が如何に早く容易にできるか。ファクシミリ装置を利用せず、如何にパーソナルコンピュターから直接ファクシミリ情報を送出するかなどが課題である。
【０００４】
【課題を解決するための手段】
本発明は上述の課題を解決する為に、電話回線とのインタフェースを行なう回線制御部と電話回線を介して受信したファクシミリデータ、パーソナルコンピューターから受信したファクシミリデータを変換する信号処理部と変換したデータを記憶させるメモリ制御部とパーソナルコンピュターと接続する為の接続制御部を有し、パーソナルコンピュターを利用することでファクシミリ送受信を可能にしたデータ処理装置を提供するものである。
【０００５】
【発明の実施の形態】
本発明のファクシミリ送受信処理装置は電話機接続用端子、ＡＤＳＬ／ＩＳＤＮに加入していない人達用にインターネット接続用端子を備えており、外線電話線とパーソナルコンピュターを持ち備えている人達に非常に小さなスペースで、現在の通信手段である電話、ファクシミリ、Ｅメールを手にすることができ、ファクシミリ文書のデジタル化に寄与する特徴がある。
【０００６】
【実施例】
図１に従い、本装置を説明します。
【０００７】
ＡＤＳＬ／ＩＳＤＮ加入者の場合は電話回線とインターネット回線に分れている電話回線側２０を、通常電話回線の加入者の場合にはその電話回線２０を電話回線接続用端子１に接続する。電話機接続用端子２は電話機１８と接続する端子である。インターネット接続用端子３は通常電話回線加入者がインターネットを利用したい場合にパーソナルコンピュター１２と接続する端子である。パーソナルコンピュター接続端子４はパーソナルコンピュター１２と接続する端子で、接続線２１を介してファクシミリデータをパソナルコンピュターとやり取りをする。外部記憶接続用端子５はメモリカード１１を接続する端子である。データ処理部８は常に回線制御部６を監視しており、電話入力の場合にはスイッチ７を電話機接続用端子２側に切り替え、電話機が使用できる。ファクシミリデータ、及び留守番電話データの場合にはスイッチ７はデータ処理部８側に接続する。ファクシミリデータ、及び留守番電話データは内部メモリ１０、メモリカード１１に記憶される。表示器１３は内部メモリ１０の記憶内容の有無、メモリオーバーなどの状態を表示する。内部メモリ１０に記憶されているデータはパーソナルコンピュターに送出後、消える。表示器１４はメモリカード１１のメモリオーバーの状態を表示する。メモリカード１１の記憶容量は内部メモリ１０より通常大きいことより、内部メモリオーバーの為に表示器１３が点燈、点滅したとしても何ら問題はなく、ファクシミリデータはメモリカード１１に記憶し続ける。接続線２１でパーソナルコンピュター１２とパーソナルコンピュター接続端子４が接続され、パーソナルコンピュター１２を操作することで内部メモリ１０に記憶されたデータをパーソナルコンピュター１２に取り込み、ファクシミリデータをパーソナルコンピュター画面上で見ることが出来、必要であれば、パーソナルコンピュター１２に接続されたプリンタを利用して印刷可能となる。留守番電話データがあれば、パーソナルコンピュターのスピーカーを介して聞くことができる。パーソナルコンピュター１２で作成した文書を接続線２１経由ファクシミリデータとして電話回線に送出される。メモリカード１１を本装置より取り出し、パーソナルコンピュター１２に挿入し、記憶されたデータをパーソナルコンピュター１２に取り込みパーソナルコンピュター画面上で見ることが出来るし、必要に応じ、印刷も可能である。表示器１５はファクシミリデータ、留守番電話データの受信有無の表示器である。
【０００８】
【発明の効果】
本装置とＰＣ、電話機と組み合わせる事で、小スペース、省資源となるだけでなく、文書のデジタル化で、転送、文書管理が容易となる。
【図面の簡単な説明】
【図１】本装置を構成するブロック図である。
【符号の説明】
１  電話回線用接続端子
２  電話機用接続端子
３  インタネット用接続端子
４  パーソナルコンピュター接続端子
５  外部記憶接続用端子
６  回線制御部
７  ファクシミリ、電話切り替え用スイッチ
８  データ処理部
９  信号処理部
１０  内部メモリ
１１  メモリカード
１２  パーソナルコンピュター
１３  内部メモリオーバー表示器
１４  メモリカード、メモリオーバー表示器
１５  ファクシミリ受信有無表示器
１６  接続制御部
１７  モデム
１８  電話機
１９  ＡＤＳＬ／ＩＳＤＮ分割器
２０  電話回線
２１  接続線
【図１】
2004179712.tif 000003